(57)【特許請求の範囲】
【請求項１】
前面から後方に凹み幅方向に延びる凹部が、空気を吸い込む吸入口として形成されている前面意匠パネルを備え、
前記前面意匠パネルは、
前記凹部の下方において幅方向に延在する下部パネルと、
前記凹部の上方において幅方向に延在する上部パネルと、
前記下部パネルの裏面と前記上部パネルの裏面とを接続する接続部と、を有し、
前記接続部は、
前記下部パネルから後方に延びる底壁と、
前記底壁から上方に延び、前記上部パネルに接続する内壁と、を有し、
前記底壁は、前記下部パネルの上端よりも下方に位置しており、
前記上部パネルの下端と前記下部パネルの上端とを結ぶ線上を通過する光が前記底壁で反射し、反射光が前記内壁に当たる位置が前記下部パネルの上端をとおる水平線よりも下方に位置している
空気調和機の室内ユニット。
【請求項２】
前記底壁は、
前記下部パネルから後方に向かって下方に傾斜している
請求項１記載の空気調和機の室内ユニット。
【請求項３】
前記接続部は、
前記底壁及び前記内壁の両側端に設けられ、前記底壁及び前記内壁よりも後方に延び、前記下部パネルと前記上部パネルとを接続する架橋部を更に有する
請求項１又は２記載の空気調和機の室内ユニット。
【発明の詳細な説明】
【技術分野】
【０００１】
本発明は、前面意匠パネルに吸気口が形成された空気調和機の室内ユニットに関する。
【背景技術】
【０００２】
従来、空気調和機の室内ユニットとして、前面意匠パネルがフラットな面形状を有しているものが知られている。室内ユニットは、前面意匠パネルがフラットであることによって、インテリアに溶け込むデザインとなっている。ここで、室内ユニットの上部には上部吸入口が形成されており、室内ユニットは、上部吸入口から室内空気を取り込んでいる。室内ユニットの内部には、熱交換器が設けられており、熱交換器は、上下方向に延びた形状をなしている。ここで、室内ユニットの上部吸入口のみから室内空気を取り込もうとすると、室内空気は、先ず熱交換器の上部に流入するものの、その後、熱交換器の下部にまで十分に流れ込み難い。このため、熱交換器の下部に流入する室内空気が不足する。そこで、前面意匠パネルに、幅方向に延びる吸入口が設けられた室内ユニットが提案されている。この室内ユニットは、前面意匠パネルの吸入口から取り込まれた室内空気が、熱交換器の下部にも流入するため、熱交換器の熱交換性能が改善する。また、前面意匠パネルに、幅方向に延びる吸入口が形成されていることによって、室内ユニットのデザインにアクセントが与えられている。【０００３】
しかし、前面意匠パネルに幅方向に延びる吸入口が形成されることにより、前面意匠パネルが上部と下部とに分断されるため、前面意匠パネルの強度が低下するおそれがある。特許文献１には、前面意匠パネルに凹部からなる吸気口が形成されて上下に分断された前面意匠パネルを有する室内機が開示されている。特許文献１の前面意匠パネルの上部と下部とは、補強部によって接続されている。特許文献１は、補強部が前面意匠パネルの上部と下部とを接続することにより、前面意匠パネルの強度の低下を抑制しようとするものである。なお、補強部の下部は、前面意匠パネルの下部の上端から後方に向かって水平に延びている。
【先行技術文献】
【特許文献】
【０００４】
【特許文献１】特開２００８−１２１９６８号公報
【発明の概要】
【発明が解決しようとする課題】
【０００５】
しかしながら、特許文献１に開示された室内機において、補強部の下部は、前面意匠パネルの下部の上端から後方に向かって水平に延びているため、補強部の下部に当たった光は、補強部の奥側の壁である内壁に反射する。このため、補強部が設けられた部分は明るくなる。一方、吸入口において補強部が設けられていない部分は、光は反射することなく室内機の内部に進入するため、暗い。このように、前面意匠パネルの吸入口において、明暗の縞が発生し、室内ユニットの意匠性が損なわれる。【０００６】
本発明は、上記のような課題を解決するためになされたもので、意匠性が損なわれない空気調和機の室内ユニットを提供するものである。
【課題を解決するための手段】
【０００７】
本発明に係る空気調和機の室内ユニットは、前面から後方に凹み幅方向に延びる凹部が、空気を吸い込む吸入口として形成されている前面意匠パネルを備え、前面意匠パネルは、凹部の下方において幅方向に延在する下部パネルと、凹部の上方において幅方向に延在する上部パネルと、下部パネルの裏面と上部パネルの裏面とを接続する接続部と、を有し、接続部は、下部パネルから後方に延びる底壁と、底壁から上方に延び、上部パネルに接続する内壁と、を有し、底壁は、下部パネルの上端よりも下方に位置しており、上部パネルの下端と下部パネルの上端とを結ぶ線上を通過する光が底壁で反射し、反射光が内壁に当たる位置が下部パネルの上端をとおる水平線よりも下方に位置している。
【発明の効果】
【０００８】
本発明によれば、接続部の底壁が、前面意匠パネルの下部パネルの上端よりも下方に位置しているため、底壁に光が当たって反射すると、内壁のうち低い位置に反射光が当たる。このため、接続部が設けられている部分が明るくなることを抑制することができる。このように、前面意匠パネルの吸入口において、明暗の縞が発生し難いため、室内ユニットの意匠性が損なわれない。
【図面の簡単な説明】
【０００９】
【図１】本発明の実施の形態１に係る空気調和機の室内ユニット１を示す斜視図である。
【図２】本発明の実施の形態１に係る空気調和機の室内ユニット１を示す正面図である。
【図３】本発明の実施の形態１に係る空気調和機の室内ユニット１を示す側面断面図である。
【図４】本発明の実施の形態１における前面意匠パネル７を示す正面図である。
【図５】本発明の実施の形態１における前面意匠パネル７を示す背面斜視図である。
【図６】本発明の実施の形態１における前面意匠パネル７の接続部１４を示す背面斜視図である。
【図７】本発明の実施の形態１における前面意匠パネル７の接続部１４を示す正面斜視図である。
【図８】本発明の実施の形態１に係る空気調和機の室内ユニット１を示す斜視断面図である。
【図９】本発明の実施の形態１に係る空気調和機の室内ユニット１を示す側面断面図である。
【図１０】本発明の実施の形態１における光の進行方向を示す側面断面図である。
【図１１】本発明の実施の形態１における光の進行方向を示す側面断面図である。
【図１２】本発明の実施の形態２に係る空気調和機の室内ユニット１００を示す斜視図である。
【図１３】本発明の実施の形態２に係る空気調和機の室内ユニット１００を示す正面図である。
【図１４】本発明の実施の形態２に係る空気調和機の室内ユニット１００を示す側面断面図である。
【図１５】本発明の実施の形態２における前面意匠パネル１０７を示す正面図である。
【図１６】本発明の実施の形態２における前面意匠パネル１０７を示す背面斜視図である。
【図１７】本発明の実施の形態２における前面意匠パネル１０７の接続部１０を示す背面斜視図である。
【図１８】本発明の実施の形態２における前面意匠パネル１０７の接続部１０を示す正面斜視図である。
【図１９】本発明の実施の形態２に係る空気調和機の室内ユニット１００を示す斜視断面図である。
【図２０】本発明の実施の形態２に係る空気調和機の室内ユニット１００を示す側面断面図である。
【図２１】比較例における光の進行方向を示す側面断面図である。
【図２２】本発明の実施の形態２における光の進行方向を示す側面断面図である。
【図２３】本発明の実施の形態２における前面意匠パネル１０７の接続部１０を示す側面断面図である。
【図２４】本発明の実施の形態２における前面意匠パネル１０７の追加部品１３を示す斜視図である。
【図２５】本発明の実施の形態３における前面意匠パネル７の接続部２１４を示す側面断面図である。
【発明を実施するための形態】
【００１０】
実施の形態１．
以下、本発明に係る空気調和機の室内ユニットの実施の形態について、図面を参照しながら説明する。図１は、本発明の実施の形態１に係る空気調和機の室内ユニット１を示す斜視図、図２は、本発明の実施の形態１に係る空気調和機の室内ユニット１を示す正面図である。この図１及び図２に基づいて、空気調和機の室内ユニット１について説明する。図１及び図２に示すように、空気調和機の室内ユニット１は、背面ケース２と、側面意匠パネル６と、前面意匠パネル７とを備えている。
【００１１】
背面ケース２は、空気調和機の空調対象空間である室内の壁等に取り付けられる板状の部材である。側面意匠パネル６は、背面ケース２の縁部に取り付けられ、背面ケース２から前方に延びる箱状の部材である。側面意匠パネル６のうち、室内ユニット１の上部を構成する部分には、空気を吸い込む上部吸入口６ａが形成されている。前面意匠パネル７は、室内ユニット１の前面を構成する板状の部材であり、内部に収納された熱交換器３等を覆うものである。
【００１２】
前面意匠パネル７には、空気を吸い込む吸入口８が形成されている。これにより、室内の空気を吸い込む量を増加させて熱交換器３の熱交換性能を向上させると共に、室内ユニット１のデザインにアクセントが加えられている。なお、前面意匠パネル７は、側面意匠パネル６の両側上部に設けられた軸に回転自在に固定されており、これにより、側面意匠パネル６に対し着脱開閉自在となっている。前面意匠パネル７が開くことにより、据え付け作業、清掃及び点検等がし易くなる。
【００１３】
図３は、本発明の実施の形態１に係る空気調和機の室内ユニット１を示す側面断面図であり、図２のＡ−Ａ断面図である。図３に示すように、室内ユニット１の内部には、熱交換器３、送風ファン４、ドレンパン５ａ及び電気品箱（図示せず）が設けられている。熱交換器３は、室内空気と冷媒との間で熱交換させる機器である。送風ファン４は、上部吸入口６ａ及び吸入口８から吸い込まれた空気を熱交換器３に送る機器である。ドレンパン５ａは、熱交換器３に付着する結露水を受ける部材である。
【００１４】
ドレンパン５ａの下方には、熱交換器３によって熱交換された空気が室内に吹き出す吹出口５が形成されている。電気品箱は、送風ファン４等を制御する制御機器が内蔵された箱である。上部吸入口６ａ及び吸入口８から送風ファン４によって吸い込まれた空気は、熱交換器３によって冷媒との間で熱交換されて加熱又は冷却され、吹出口５から室内に吹き出される。これにより、室内が暖房又は冷房される。
【００１５】
図４は、本発明の実施の形態１における前面意匠パネル７を示す正面図である。図４に示すように、前面意匠パネル７には、前面から後方に凹み幅方向に延びる凹部が、空気を吸い込む吸入口８として形成されている。前面意匠パネル７のうち、凹部の下方において幅方向に延在する部分を、下部パネル７ｂと呼称し、凹部の上方において幅方向に延在する部分を上部パネル７ａと呼称する。なお、下部パネル７ｂと上部パネル７ａとは、前面意匠パネル７の両側部において接続されている。このように、下部パネル７ｂと上部パネル７ａとは、一体的な構造を有している。
【００１６】
図５は、本発明の実施の形態１における前面意匠パネル７を示す背面斜視図である。図５に示すように、上部パネル７ａと下部パネル７ｂとは、前面意匠パネル７の両側部だけではなく、前面意匠パネル７の中央部においても、複数の接続部１４によって接続されている。このように、前面意匠パネル７の下部パネル７ｂの裏面と上部パネル７ａの裏面とは、複数の接続部１４によって接続されているため、前面意匠パネル７の強度の低下を抑制することができる。なお、接続部１４は、上部パネル７ａ及び下部パネル７ｂと一体的に形成されている。
【００１７】
図６は、本発明の実施の形態１における前面意匠パネル７の接続部１４を示す背面斜視図である。図６に示すように、接続部１４は、底壁１４ａと内壁１４ｂと架橋部１４ｃとを有している。底壁１４ａ及び内壁１４ｂの両側端に設けられ、底壁１４ａ及び内壁１４ｂよりも後方に延び、下部パネル７ｂと上部パネル７ａとを接続する部材である。
【００１８】
図７は、本発明の実施の形態１における前面意匠パネル７の接続部１４を示す正面斜視図である。図７に示すように、前面意匠パネル７の吸入口８の一部には、接続部１４が設けられている。吸入口８において、接続部１４が設けられていない部分が吸入穴８ａとなっており、実際に空気が吸い込まれる部分である。
【００１９】
図８は、本発明の実施の形態１に係る空気調和機の室内ユニット１を示す斜視断面図であり、図２のＡ−Ａ断面図である。図８に示すように、下部パネル７ｂの上端は、若干後方に屈曲している。上部パネル７ａの下端は、若干後方に屈曲し、その後、下方に屈曲して上部内壁８ｂとなっている。これにより、室内にいる人から、室内ユニット１の内部の熱交換器３等の内部部品が見えない。前述の如く、接続部１４は、底壁１４ａと、内壁１４ｂとを有する。底壁１４ａは、下部パネル７ｂの上端よりも下方の位置から後方に延びる部材である。内壁１４ｂは、底壁１４ａの後端から上方に延び、上部パネル７ａの上部内壁８ｂに接続する部材である。ここで、底壁１４ａは、下部パネル７ｂの上端よりも下方に位置している。
【００２０】
図９は、本発明の実施の形態１に係る空気調和機の室内ユニット１を示す側面断面図であり、図２のＡ−Ａ断面図である。次に、吸入口８から吸い込まれる空気９の流れについて説明する。図９に示すように、吸入口８から吸い込まれた空気９は、吸入口８のうち接続部１４が設けられていない吸入穴８ａを通過し、熱交換器３に至る。
【００２１】
図１０は、本発明の実施の形態１における光の進行方向を示す側面断面図であり、図４のＢ−Ｂ断面図である。次に、吸入口８に進入する光１１の進行方向について説明する。図１０に示すように、室内ユニット１の上方の天井等に照明が設けられている場合、照明から出射された光１１が、室内ユニット１の吸入口８に進入する場合がある。吸入口８のうち接続部１４に進入した光１１の一部は、底壁１４ａで反射して、内壁１４ｂに当たる。このとき、底壁１４ａの表面から垂直に延びる法線Ｎに対する入射角θと反射角θとは等しい。
【００２２】
底壁１４ａで反射する光１１のうち、内壁１４ｂに当たる位置がもっとも高くなるのは、上部パネル７ａの下端と下部パネル７ｂの上端とを結ぶ線上を通過する光１１（図１０の実線矢印）である。この光１１が底壁１４ａで反射し、反射光１２が内壁１４ｂに当たる位置が、下部パネル７ｂの上端をとおる水平線Ｈよりも下方に位置している。このため、内壁１４ｂに当たった反射光１２は、室内にいる人からは見え難い。このように、本実施の形態１では、接続部１４が設けられている部分が明るくなることを抑制することができる。
【００２３】
なお、室内ユニット１は、概して室内の天井付近に設けられている。このため、室内にいる人が室内ユニット１を見る場合、見上げることが多い。従って、反射光１２が水平線Ｈよりも若干上方に当たっても、反射光１２は見え難い。ここで、内壁１４ｂ及び上部内壁８ｂのうち、反射光１２が見え難い部分を可視範囲外Ｏ、反射光１２が見え易い部分を可視範囲Ｉと呼称する。本実施の形態１では、この反射光１２が内壁１４ｂに当たる位置が、下部パネル７ｂの上端をとおる水平線Ｈよりも下方に位置するように底壁１４ａが設けられているが、反射光１２が内壁１４ｂに当たる位置が、水平線Ｈよりも若干上方に位置していてもよい。即ち、反射光１２が可視範囲外Ｏに当たるように、底壁１４ａが設けられればよい。
【００２４】
図１１は、本発明の実施の形態１における光の進行方向を示す側面断面図であり、図４のＣ−Ｃ断面図である。図１１に示すように、照明から出射された光１１が、吸入口８のうち吸入穴８ａに進入した場合、吸入穴８ａを通過した後、そのまま室内ユニット１の内部に進入する。このため、室内にいる人は、吸入穴８ａが形成されている部分が暗く見える。
【００２５】
図１０及び図１１に示すように、吸入口８のうち接続部１４が設けられている部分も、吸入穴８ａが形成されている部分も、いずれも室内にいる人から暗く見える。このため、吸入口８に明暗の縞が発生しない。
【００２６】
本実施の形態１によれば、接続部１４の底壁１４ａが、前面意匠パネル７の下部パネル７ｂの上端よりも下方に位置しているため、底壁１４ａに光が当たって反射すると、内壁１４ｂのうち低い位置に反射光が当たる。このため、接続部１４が設けられている部分が明るくなることを抑制することができる。このように、前面意匠パネル７の吸入口８において、明暗の縞が発生し難いため、室内ユニット１の意匠性が損なわれない。また、これにより、明暗の縞が発生することなく接続部１４の大きさを変更することができるため、吸入穴８ａの大きさを減らすことなく、前面意匠パネル７の強度を補強することができ、強度を改善することができる。従って、本実施の形態１において、前面意匠パネル７の意匠性を損なわずに強度を確保し、原価を低減することができる。
【００２７】
実施の形態２．
図１２は、本発明の実施の形態２に係る空気調和機の室内ユニット１００を示す斜視図、図１３は、本発明の実施の形態２に係る空気調和機の室内ユニット１００を示す正面図である。本実施の形態２は、前面意匠パネル１０７の形状が、実施の形態１と相違する。本実施の形態２では、実施の形態１と同一の部分は同一の符号を付して説明を省略し、実施の形態１との相違点を中心に説明する。
【００２８】
図１２及び図１３に示すように、空気調和機の室内ユニット１００は、背面ケース１０２と、側面意匠パネル１０６と、前面意匠パネル１０７とを備えている。背面ケース１０２は、空調対象空間である室内の壁等に取り付けられる板状の部材である。側面意匠パネル１０６は、背面ケース１０２の縁部に取り付けられ、背面ケース１０２から前方に延びる箱状の部材である。側面意匠パネル１０６のうち、室内ユニット１００の上部を構成する部分には、空気を吸い込む上部吸入口１０６ａが形成されている。
【００２９】
前面意匠パネル１０７は、側面意匠パネル１０６の縁部に取り付けられる板状の部材である。前面意匠パネル１０７には、空気を吸い込む吸入口１０８が形成されている。これにより、室内の空気を吸い込む量を増加させて熱交換器１０３の熱交換性能を向上させると共に、室内ユニット１００のデザインにアクセントが加えられている。なお、前面意匠パネル１０７は、側面意匠パネル１０６の両側上部に設けられた軸に回転自在に固定されており、これにより、側面意匠パネル１０６に対し着脱開閉自在となっている。前面意匠パネル１０７が開くことにより、据え付け作業、清掃及び点検等がし易くなる。
【００３０】
図１４は、本発明の実施の形態２に係る空気調和機の室内ユニット１００を示す側面断面図であり、図１３のＤ−Ｄ断面図である。図１４に示すように、室内ユニット１００の内部には、熱交換器１０３、送風ファン１０４、ドレンパン１０５ａ及び電気品箱（図示せず）が設けられている。熱交換器１０３は、室内空気と冷媒との間で熱交換させる機器である。送風ファン１０４は、上部吸入口１０６ａ及び吸入口１０８から吸い込まれた空気を熱交換器１０３に送る機器である。ドレンパン１０５ａは、熱交換器１０３に付着する結露水を受ける部材である。
【００３１】
ドレンパン１０５ａの下方には、熱交換器１０３によって熱交換された空気が室内に吹き出す吹出口１０５が形成されている。電気品箱は、送風ファン１０４等を制御する制御機器が内蔵された箱である。上部吸入口１０６ａ及び吸入口１０８から送風ファン１０４によって吸い込まれた空気は、熱交換器１０３によって冷媒との間で熱交換されて加熱又は冷却され、吹出口１０５から室内に吹き出される。これにより、室内が暖房又は冷房される。
【００３２】
図１５は、本発明の実施の形態２における前面意匠パネル１０７を示す正面図である。図１５に示すように、前面意匠パネル１０７には、前面から後方に凹み幅方向に延びる凹部が、空気を吸い込む吸入口１０８として形成されている。前面意匠パネル１０７のうち、凹部の下方において幅方向に延在する部分を、下部パネル１０７ｂと呼称し、凹部の上方において幅方向に延在する部分を上部パネル１０７ａと呼称する。なお、下部パネル１０７ｂと上部パネル１０７ａとは、前面意匠パネル１０７の両側部において接続されている。
【００３３】
図１６は、本発明の実施の形態２における前面意匠パネル１０７を示す背面斜視図である。図１６に示すように、上部パネル１０７ａと下部パネル１０７ｂとは、前面意匠パネル１０７の両側部だけではなく、前面意匠パネル１０７の中央部においても、複数の接続部１０によって接続されている。吸入口１０８が形成されることにより、前面意匠パネル１０７が上下に分断されるため、強度が低下し、吸入口１０８の両側端から亀裂、変形又は破損等が生じるおそれがある。前面意匠パネル１０７の下部パネル１０７ｂと上部パネル１０７ａとは、複数の接続部１０によって接続されているため、前面意匠パネル１０７の強度の低下を抑制することができる。なお、接続部１０は、上部パネル１０７ａ及び下部パネル１０７ｂと一体的に形成されている。
【００３４】
図１７は、本発明の実施の形態２における前面意匠パネル１０７の接続部１０を示す背面斜視図である。図１７に示すように、接続部１０は、底壁１０ａと、架橋部１０ｃとを有している。架橋部１４ｃは、底壁１０ａの両側端に設けられ、底壁１０ａよりも後方に延び、底壁１０ａと共に下部パネル１０７ｂと上部パネル１０７ａとを接続する部材である。
【００３５】
図１８は、本発明の実施の形態２における前面意匠パネル１０７の接続部１０を示す正面斜視図である。図１８に示すように、前面意匠パネル１０７の吸入口１０８の一部には、接続部１０が設けられている。吸入口１０８において、接続部１０が設けられていない部分が吸入穴１０８ａとなっており、実際に空気が吸い込まれる部分である。
【００３６】
図１９は、本発明の実施の形態２に係る空気調和機の室内ユニット１００を示す斜視断面図であり、図１３のＡ−Ａ断面図である。図１９に示すように、上部パネル１０７ａの下端は、後方に屈曲し、その後、下方に屈曲して上部内壁１０８ｂとなっている。接続部１０は、下部パネル１０７ｂの上端と内壁１４ｂの下端とを接続する底壁１０ａを有している。底壁１０ａは、下部パネル１０７ｂの上端と同じ高さに位置している。
【００３７】
図２０は、本発明の実施の形態２に係る空気調和機の室内ユニット１００を示す側面断面図であり、図１３のＡ−Ａ断面図である。次に、吸入口１０８から吸い込まれる空気９の流れについて説明する。図２０に示すように、吸入口１０８から吸い込まれた空気９は、吸入口１０８のうち接続部１０が設けられていない吸入穴１０８ａを通過し、熱交換器１０３に至る。なお、底壁１０ａには追加部品１３が載置されているが、追加部品１３については後述する。
【００３８】
図２１は、比較例における光の進行方向を示す側面断面図であり、図１５のＥ−Ｅ断面図である。次に、吸入口１０８に進入する光１１の進行方向について説明する。なお、図２１は、図２０に示す本実施の形態２の室内ユニット１００の接続部１０から追加部品１３が外されている比較例を示す。図２１では、接続部１０に進入する光１１の進行方向について説明する。図２１に示すように、吸入口１０８のうち接続部１０に進入した光１１の一部は、底壁１０ａで反射して、上部内壁１０８ｂに当たる。底壁１０ａで反射する光１１のうち、上部内壁１０８ｂに当たる位置がもっとも高くなるのは、上部パネル１０７ａの下端と下部パネル１０７ｂの上端とを結ぶ線上を通過する光１１（図２１の実線矢印）である。この光１１が底壁１０ａで反射し、反射光１２が内壁１４ｂに当たる位置は、底壁１０ａが下部パネル１０７ｂの上端をとおる水平線Ｈと同じ高さであるため、水平線Ｈよりも上方に位置している。このため、内壁１４ｂに当たった反射光１２は、室内にいる人から見える。このため、吸入口１０８において、接続部１０が設けられている部分が明るく見える。
【００３９】
図２２は、本発明の実施の形態２における光の進行方向を示す側面断面図であり、図１５のＦ−Ｆ断面図である。図２２では、接続部１０が設けられていない吸入穴１０８ａに進入する光１１の進行方向について説明する。図２２に示すように、照明から出射された光１１が、吸入口１０８のうち吸入穴１０８ａに進入した場合、吸入穴１０８ａを通過した後、そのまま室内ユニット１００の内部に進入する。このため、室内にいる人は、吸入穴１０８ａが形成されている部分が暗く見える。
【００４０】
図２１に示すように、接続部１０から追加部品１３が外されている場合、吸入口１０８のうち接続部１０が設けられている部分は、室内にいる人から明るく見え、吸入穴１０８ａが形成されている部分は、室内にいる人から暗く見える。このため、吸入口１０８に明暗の縞が発生し、前面意匠パネル１０７の意匠性が低下するおそれがある。
【００４１】
図２３は、本発明の実施の形態２における前面意匠パネル１０７の接続部１０を示す側面断面図である。次に、図２０で示した追加部品１３について説明する。追加部品１３は、明暗の縞の発生を抑制する非反射部材である。図２３に示すように、接続部１０に追加部品１３が設置されることにより、接続部１０における光の反射を抑制している。
【００４２】
図２４は、本発明の実施の形態２における前面意匠パネル１０７の追加部品１３を示す斜視図である。図２４に示すように、追加部品１３は、幅方向に長い部材であり、両端部に爪部１３ａが設けられている。爪部１３ａが接続部１０の両端に引っ掛けられることにより、追加部品１３が接続部１０に取り付けられる。これにより、接続部１０における光の反射が抑えられるため、吸入口１０８のうち接続部１０が設けられている部分も、吸入穴１０８ａが形成されている部分も、いずれも室内にいる人から暗く見える。このため、吸入口１０８に明暗の縞が発生しない。
【００４３】
本実施の形態２によれば、若干のコストをかけて追加部品１３を設ける作業を施すだけで、前面意匠パネル１０７の吸入口１０８において、明暗の縞が発生し難くなる。これにより、室内ユニット１００の意匠性が損なわれない。なお、本実施の形態２では、接続部１０に追加部品１３を設けているが、接続部１０の表面粗さを粗くすることによって、光の反射を抑えるように構成されてもよい。
【００４４】
実施の形態３．
図２５は、本発明の実施の形態３における前面意匠パネル７の接続部２１４を示す側面断面図である。本実施の形態３は、空気調和機の室内ユニット２００において、前面意匠パネル７の接続部２１４の形状が、実施の形態１と相違する。本実施の形態３では、実施の形態１と同一の部分は同一の符号を付して説明を省略し、実施の形態１との相違点を中心に説明する。
【００４５】
図２５に示すように、接続部２１４の底壁２１４ａは、下部パネル７ｂから下方に向かって傾斜している。このとき、底壁２１４ａの表面から垂直に延びる法線Ｎは、内壁１４ｂ側に傾いている。このため、吸入口８に進入する光１１が、底壁２１４ａで反射しても、その反射光１２が内壁１４ｂに当たる位置が、より低くなる。このため、内壁１４ｂに当たった反射光１２は、室内にいる人からより見え難い。従って、吸入口８に明暗の縞が発生することを更に抑制することができる。
【符号の説明】
【００４６】
１  室内ユニット、２  背面ケース、３  熱交換器、４  送風ファン、５  吹出口、５ａ  ドレンパン、６  側面意匠パネル、６ａ  上部吸入口、７  前面意匠パネル、７ａ  上部パネル、７ｂ  下部パネル、８  吸入口、８ａ  吸入穴、８ｂ  上部内壁、９  空気、１０  接続部、１０ａ  底壁、１０ｃ  架橋部、１１  光、１２  反射光、１３  追加部品、１３ａ  爪部、１４  接続部、１４ａ  底壁、１４ｂ  内壁、１４ｃ  架橋部、１００  室内ユニット、１０２  背面ケース、１０３  熱交換器、１０４  送風ファン、１０５  吹出口、１０５ａ  ドレンパン、１０６  側面意匠パネル、１０６ａ  上部吸入口、１０７  前面意匠パネル、１０７ａ  上部パネル、１０７ｂ  下部パネル、１０８  吸入口、１０８ａ  吸入穴、１０８ｂ  上部内壁、２００  室内ユニット、２１４  接続部、２１４ａ  底壁。
【図１】
0006727401.tif 000002
【図２】
0006727401.tif 000003
【図３】
0006727401.tif 000004
【図４】
0006727401.tif 000005
【図５】
0006727401.tif 000006
【図６】
0006727401.tif 000007
【図７】
0006727401.tif 000008
【図８】
0006727401.tif 000009
【図９】
0006727401.tif 000010
【図１０】
0006727401.tif 000011
【図１１】
0006727401.tif 000012
【図１２】
0006727401.tif 000013
【図１３】
0006727401.tif 000014
【図１４】
0006727401.tif 000015
【図１５】
0006727401.tif 000016
【図１６】
0006727401.tif 000017
【図１７】
0006727401.tif 000018
【図１８】
0006727401.tif 000019
【図１９】
0006727401.tif 000020
【図２０】
0006727401.tif 000021
【図２１】
0006727401.tif 000022
【図２２】
0006727401.tif 000023
【図２３】
0006727401.tif 000024
【図２４】
0006727401.tif 000025
【図２５】
0006727401.tif 000026